(57)【要約】【課題】ＬＥＤ制御パターン生成回路を削減して回路規模を小さくし、かつ再生オーディオ信号の音の強弱や無音状態をＬＥＤの点灯／点滅で表現できる、最適な音連動光源駆動方法を提供する。【解決手段】Ａｕｄｉｏ／ＭＩＤＩデジタル音源１のデジタル信号からオーディオ帯域信号と低周波帯域信号とを生成し、ＰＷＭジェネレータ８によってオーディオ帯域信号と低周波帯域信号に応じた正のパルス幅のＡ信号と負のパルス幅のＢ信号とをそれぞれ生成する。低周波帯域信号に対応するＡ信号とＢ信号とを論理回路１０を介して、複数のドライバ７−ａ〜７−ｃに与え、これらのドライバ７−ａ〜７−ｃによりＬＥＤ６−ａ〜６−ｃをそれぞれ発光させる。論理回路１０はＬＥＤ６−ａ〜６−ｃがオーディオ信号に連動しかつ低周波帯域の音の強弱や無音状態に応じて光を変化するようにドライバ７−ａ〜７−ｃを制御する。【選択図】図１
2008099315.tif 000002
【特許請求の範囲】
【請求項１】
デジタル音源から入力されたデジタル信号を帯域制限用デジタルフィルタに与えて２０ＫＨｚまでのいずれかの帯域を含むオーディオ帯域信号と、４０Ｈｚまでのいずれかの帯域を含む低周波帯域信号とを帯域制限して出力する工程と、
前記低周波帯域の信号をＰＷＭジェネレータに与えてＡ信号およびＢ信号に変換して出力するＰＷＭ変換工程と、
前記Ａ信号及びＢ信号を加算回路に与えて加算する加算工程と、
前記加算工程の出力信号を積分してアナログ信号を出力するアナログ信号再生工程と、
前記Ａ信号及びＢ信号を論理回路に与えて演算する演算工程と、
前記演算工程の出力信号を複数個の発光手段のいずれかに与えて点滅動作させる工程とを含み、
前記アナログ信号の音圧が高い第１の状態のときに前記複数個の発光手段の内の第１の発光手段を点滅動作させ、前記アナログ信号の音圧が前記第１の状態よりも低い第２の状態のときに前記複数個の発光手段の内の第２の発光手段の点滅動作を行うことを特徴とする音連動光源駆動方法。
【請求項２】
デジタル音源と、このデジタル音源のデジタル信号を入力してオーディオ帯域信号と低周波帯域信号を出力する帯域制限用デジタルフィルタと、前記オーディオ帯域信号と前記低周波帯域信号に応じてそれぞれ正のパルス幅のＡ信号と負のパルス幅のＢ信号とを出力するＰＷＭジェネレータと、前記オーディオ帯域信号の前記Ａ信号と前記Ｂ信号を加算して再生信号の強弱に対応したパルス幅を有するＰＷＭ信号を生成する加算回路と、この加算回路により前記ＰＷＭ信号に変換された前記オーディオ帯域信号をアナログオーディオ信号に変換するローパスフィルタと、前記低周波帯域信号に対応する前記Ａ信号と前記Ｂ信号を入力する論理回路と、この論理回路により駆動される複数のドライバと、これらのドライバによりそれぞれ発光する発光手段とを備え、
前記論理回路は前記発光手段が前記オーディオ信号に連動しかつ低周波帯域の音の強弱や無音状態に応じて光を変化するように前記ドライバを制御する音連動光源駆動方法。
【請求項３】
前記デジタル音源はＡｕｄｉｏ／ＭＩＤＩデジタル音源である請求項１又は２記載の音連動光源駆動方法。
【請求項４】
前記発光手段はＬＥＤである請求項１又は２記載の音連動光源駆動方法。
【請求項５】
前記ドライバはＮｃｈＭＯＳドライバである請求項１又は２記載の音連動光源駆動方法。
【発明の詳細な説明】
【技術分野】
【０００１】
本発明は、例えば携帯電話システムでオーディオ信号を再生する際に、外付けＬＥＤを再生されたオーディオ信号と連動させて点灯／点滅させるための最適なＡｕｄｉｏ／ＭＩＤＩ音源連動型ＬＥＤドライバ装置などの音連動光源ドライバ装置によって実現される音連動光源駆動方法に関するものである。
【背景技術】
【０００２】
現在の携帯電話の音楽再生システムにおいて、音楽再生用に搭載されているＡｕｄｉｏ／ＭＩＤＩデジタル音源からオーディオ信号を再生する場合、同時に外付けＬＥＤを点灯／点滅させる機能を有することが多い。その際、再生された様々なオーディオ信号に対して、ＬＥＤの点灯／点滅するパターンは、ある固定のパターンでしか点灯／点滅せず、両者は全く連動せずに動作している。
【０００３】
図４は、従来のＡｕｄｉｏ／ＭＩＤＩ音源再生回路、およびＬＥＤドライバ回路のシステム構成を示すブロック図である。１はＡｕｄｉｏ／ＭＩＤＩ音源、２は帯域制限用デジタルフィルタ、３はＤＡコンバータ、４はローパスフィルタ、５はＬＥＤ制御パターン生成回路、６はＬＥＤ、７はＮｃｈＭＯＳドライバである。
【０００４】
以上のように構成されたＡｕｄｉｏ／ＭＩＤＩ音源再生回路、およびＬＥＤドライバ回路システムの動作を以下に示す。
【０００５】
Ａｕｄｉｏ／ＭＩＤＩデジタル音源１から出力されたオーディオ帯域デジタル信号は、帯域制限用デジタルフィルタ２にて、オーディオ帯域の周波数成分のみ帯域制限をかけて出力し、ＤＡコンバータ３とローパスフィルタ４を通過させることでアナログオーディオ信号を再生している。一方、ＬＥＤパターン生成回路５は、オーディオ信号再生と同時にＬＥＤの点灯／点滅パターンを出力し、ＮｃｈＭＯＳドライバ７のゲートをＯＮ／ＯＦＦすることで、ＬＥＤ６を点灯／点滅させる。
【特許文献１】特開２００１−１０３１３１号公報
【発明の開示】
【発明が解決しようとする課題】
【０００６】
しかしながら、上記の従来構成では、Ａｕｄｉｏ／ＭＩＤＩ音源再生と同時に外付けＬＥＤを点灯／点滅させる場合、再生されたアナログオーディオ信号と、ＬＥＤの点灯／点滅のタイミングおよび周期は、お互い連動せずに制御されている。また、ＤＡコンバータ３の出力信号でＮｃｈＭＯＳドライバ７のゲートをＯＮ／ＯＦＦする場合でも、再生されるアナログオーディオ信号の音の強弱や無音状態を信号にＬＥＤ６の点灯／点滅では表現できない構成である。つまり、上記のような従来構成では、ＬＥＤ点灯／点滅動作用にはＬＥＤ制御パターン生成回路が必要であり、再生オーディオ信号とＬＥＤの光信号とを連動可能にする最適なＬＥＤ点灯／点滅ドライバシステムの実現は不可能であった。
【０００７】
また、Ａｕｄｉｏ／ＭＩＤＩデジタル音源１の出力信号を直接ＮｃｈＭＯＳドライバ７に入力することでＬＥＤを点灯／点滅することは可能であるが、再生するオーディオデジタルデータとは別に、低周波帯域のデジタルデータも上記Ａｕｄｉｏ／ＭＩＤＩデジタル音源１に録音、または記録しておく必要があり、その同時録音／同時再生機能の制御、および回路構成が複雑になってくる。
【０００８】
本発明は、従来のシステム構成に比べて、ＬＥＤ制御パターン生成回路を削減して回路規模を小さくし、かつ再生オーディオ信号の音の強弱や無音状態をＬＥＤの点灯／点滅で表現できる、最適な音連動光源駆動方法を提供することを目的とする。
【課題を解決するための手段】
【０００９】
上記課題を解決するために、本発明の第１の音連動光源駆動方法は、デジタル音源から入力されたデジタル信号を帯域制限用デジタルフィルタに与えて２０ＫＨｚまでのいずれかの帯域を含むオーディオ帯域信号と、４０Ｈｚまでのいずれかの帯域を含む低周波帯域信号とを帯域制限して出力する工程と、低周波帯域の信号をＰＷＭジェネレータに与えてＡ信号およびＢ信号に変換して出力するＰＷＭ変換工程と、Ａ信号及びＢ信号を加算回路に与えて加算する加算工程と、加算工程の出力信号を積分してアナログ信号を出力するアナログ信号再生工程と、Ａ信号及びＢ信号を論理回路に与えて演算する演算工程と、演算工程の出力信号を複数個の発光手段のいずれかに与えて点滅動作させる工程とを含み、アナログ信号の音圧が高い第１の状態のときに複数個の発光手段の内の第１の発光手段を点滅動作させ、アナログ信号の音圧が第１の状態よりも低い第２の状態のときに複数個の発光手段の内の第２の発光手段の点滅動作を行うことを特徴とする。
【００１０】
本発明の第２の音連動光源駆動方法は、デジタル音源と、このデジタル音源のデジタル信号を入力してオーディオ帯域信号と低周波帯域信号を出力する帯域制限用デジタルフィルタと、オーディオ帯域信号と低周波帯域信号に応じてそれぞれ正のパルス幅のＡ信号と負のパルス幅のＢ信号とを出力するＰＷＭジェネレータと、オーディオ帯域信号のＡ信号とＢ信号を加算して再生信号の強弱に対応したパルス幅を有するＰＷＭ信号を生成する加算回路と、この加算回路によりＰＷＭ信号に変換されたオーディオ帯域信号をアナログオーディオ信号に変換するローパスフィルタと、低周波帯域信号に対応するＡ信号とＢ信号を入力する論理回路と、この論理回路により駆動される複数のドライバと、これらのドライバによりそれぞれ発光する発光手段とを備え、論理回路は発光手段がオーディオ信号に連動しかつ低周波帯域の音の強弱や無音状態に応じて光を変化するようにドライバを制御する。
【００１１】
上記本発明の第１および第２の音連動光源駆動方法においては、デジタル音源はＡｕｄｉｏ／ＭＩＤＩデジタル音源であることが好ましく、発光手段はＬＥＤであることが好ましく、さらに、ドライバはＮｃｈＭＯＳドライバであることが好ましい。
【発明の効果】
【００１２】
本発明の第１および第２の音連動光源駆動方法によれば、帯域制限用デジタルフィルタの低周波帯域信号によって、再生されるアナログオーディオ信号に連動して発光手段例えばＬＥＤが点灯／点滅動作をすることが可能となる。このため、回路規模が小さく、かつ再生されたオーディオ信号に連動可能な、最適なＡｕｄｉｏ／ＭＩＤＩ音源連動型ＬＥＤドライバシステムが実現できる。
【００１３】
また、音の強弱や無音状態をＬＥＤの点灯／点滅動作によって表現可能となる。
【発明を実施するための最良の形態】
【００１４】
以下、本発明の第１の実施の形態について、図面を参照しながら説明する。
【００１５】
図１は、本発明の第１の実施の形態のＡｕｄｉｏ／ＭＩＤＩ音源連動型ＬＥＤドライバ装置を示すものである。
【００１６】
Ａｕｄｉｏ／ＭＩＤＩ音源連動型ＬＥＤドライバシステムは、Ａｕｄｉｏ／ＭＩＤＩデジタル音源１と、帯域制限用デジタルフィルタ２と、ＰＷＭジェネレータ８と、ローパスフィルタ４と、ＬＥＤ６と、ＮｃｈＭＯＳドライバ７を備えている。
【００１７】
以上のように構成されたＡｕｄｉｏ／ＭＩＤＩ音源連動型ＬＥＤドライバシステムについて、以下にその動作を説明する。
【００１８】
Ａｕｄｉｏ／ＭＩＤＩデジタル音源１から入力されたデジタル信号は、帯域制限用デジタルフィルタ２にて０Ｈｚから２０ＫＨｚまでのオーディオ帯域信号と、０Ｈｚから４０Ｈｚまでの低周波帯域信号とを帯域制限して出力し、高域の周波数成分の信号は十分減衰される。再生されるアナログ信号は、図３（ａ）の方法で、ＰＷＭジェネレータ８のＰＷＭ信号を後段の上記ローパスフィルタ４で積分することによって再生されている。パルス幅を決めている＋４〜−４の上限／下限値は、そのデジタル／アナログ変換精度によって上下する。再生される信号は、ＰＷＭジェネレータ８で、信号の音の強弱に対応して、あるパルス幅をもったＰＷＭ信号に変換されたのち、オーディオ帯域信号はローパスフィルタ４で積分され、同時にデジタルノイズ成分を減衰させてアナログオーディオ信号として再生される。一方、低周波帯域信号も図３（ａ）のように、ＰＷＭジェネレータ８にて、再生信号の強弱に対応して、あるパルス幅をもったＰＷＭ信号に変換されたのち、出力信号によってＮｃｈＭＯＳドライバ７のゲートをＯＮ／ＯＦＦすることで、ＬＥＤ６を点灯／点滅させる。０Ｈｚから４０Ｈｚの光信号の点灯／点滅は、人間の眼で十分に確認できる範囲である。これにより、Ａｕｄｉｏ／ＭＩＤＩデジタル音源１に録音、または記録されていた広域の周波数信号の再生時に、オーディオ帯域信号は音声として、また低周波帯域信号はＬＥＤの光信号として再生・変換され、再生されるオーディオ信号に連動してＬＥＤの点灯／点滅動作が可能となる。
【００１９】
次に、本発明の第２の実施の形態について、図面を参照しながら説明する。
【００２０】
図２は本発明の第２の実施の形態のＡｕｄｉｏ／ＭＩＤＩ音源連動型ＬＥＤドライバシステムを示すものである。
【００２１】
Ａｕｄｉｏ／ＭＩＤＩ音源連動型ＬＥＤドライバ装置は、Ａｕｄｉｏ／ＭＩＤＩデジタル音源１と、帯域制限用デジタルフィルタ２と、ＰＷＭジェネレータ８と、ローパスフィルタ４と、加算回路９と、論理回路ブロック１０と、ＬＥＤ６と、ＮｃｈＭＯＳドライバ７とを備えたものである。上記システムは、第１の実施の形態の動作に加えて、音の強弱や無音状態をＬＥＤの点灯／点滅によって表現することが可能である。
【００２２】
以上のように構成されたＡｕｄｉｏ／ＭＩＤＩ音源連動型ＬＥＤドライバシステムについて、以下にその動作を説明する。
【００２３】
Ａｕｄｉｏ／ＭＩＤＩデジタル音源１から入力されたデジタル信号は、帯域制限用デジタルフィルタ２にて０Ｈｚから２０ＫＨｚまでのオーディオ帯域信号と、０Ｈｚから４０Ｈｚまでの低周波帯域信号とに帯域制限して出力され、高域のノイズ成分は十分減衰される。再生されるアナログ信号は、図３（ａ）の方法で、ＰＷＭ信号を後段のローパスフィルタ４で積分することによって再生されている。パルス幅を決めている＋４〜−４の上限／下限値は、そのデジタル／アナログ変換精度によって上下する。また図３（ｂ）のように、ローパスフィルタ４に入力するためのＰＷＭ信号を生成するために、ＰＷＭジェネレータ８より出力されるＡ信号とＢ信号の２信号を用いて、加算回路９にて加算し、再生信号の強弱に対応して、あるパルス幅をもったＰＷＭ信号として出力される。再生信号の音圧が高い場合は、Ａ信号は正のパルス幅が、Ｂ信号は負のパルス幅が広いパルス信号として出力され、加算後のデジタル信号の正／負パルス幅は広くなる。逆に、無音状態のように音圧が低い場合には、Ａ信号、Ｂ信号とも正／負のパルス幅のデューティ比が５０％に近づくため、加算後のデジタル信号の正／負パルス幅が狭くなる。以上の動作により、オーディオ帯域信号は、変換されたＰＷＭ信号が、ローパスフィルタ４で積分され、同時にデジタルノイズを減衰してアナログオーディオ信号に再生される。
【００２４】
同様に低周波帯域の信号も図３（ｂ）に示す方法で、ＰＷＭジェネレータ８よりＡ信号およびＢ信号に変換されて出力される。信号の音圧が強い場合は、Ａ信号は正のパルス幅が、Ｂ信号は負のパルス幅が広いパルス信号として出力され、上記論理回路ブロック１０のＡＮＤ回路１１およびＮＯＲ回路１３による演算によりＮｃｈＭＯＳドライバ７を制御して、３系統のＬＥＤのうち、主にＬＥＤ６−ａ、およびＬＥＤ６−ｃの点灯／点滅動作を行う。また、信号の音圧が弱い場合、つまり無音状態の場合には、出力されるＡ信号、Ｂ信号とも正／負のパルス幅のデューティ比が５０％に近づくため、上記論理回路ブロック１０のＥＸ−ＯＲ回路１２の演算により３系統のＬＥＤのうち、主にＬＥＤ６−ｂの点灯／点滅動作を行う。以上の動作により、音圧が高くなるにつれて、ＬＥＤ６−ａとＬＥＤ６−ｃの光の色が合成されて点灯／点滅し、逆に無音、つまり音圧が低くなるにつれて徐々にＬＥＤ６−ｂの光の単色に近づいて点灯／点滅するのが人間の眼で確認できる。
【００２５】
上記論理回路ブロック１０は、図２以外の任意の組み合わせによっても異なる点灯／点滅パターンで上記ＬＥＤ６の点灯／点滅動作が可能である。
【００２６】
上記第１の実施の形態では１系統のＬＥＤのみの点灯／点滅動作しか可能ではなく、音の強弱や無音状態を点灯／点滅動作で表現することはできなかったが、上記第２の実施の形態の構成・動作により、Ａｕｄｉｏ／ＭＩＤＩデジタル音源１に録音、または記録された広域の周波数信号の再生時に、オーディオ帯域信号は音声として、また低周波帯域信号はＬＥＤの光信号として再生・変換され、再生されるオーディオ信号に連動してＬＥＤの点灯／点滅動作が可能となり、かつＬＥＤの光信号の合成・重ね合わせによって、低周波帯域の音の強弱や無音状態を光で表現することが可能になる。
【産業上の利用可能性】
【００２７】
本発明にかかる音連動光源駆動方法は、帯域制限用デジタルフィルタの低周波帯域信号によって、再生されるアナログオーディオ信号に連動して発光手段例えばＬＥＤが点灯／点滅動作をすることが可能となり、このため、回路規模が小さく、かつ再生されたオーディオ信号に連動可能な、最適なＡｕｄｉｏ／ＭＩＤＩ音源連動型ＬＥＤドライバシステムが実現でき、また音の強弱や無音状態をＬＥＤの点灯／点滅動作によって表現可能となるという効果を有し、携帯電話システムにおいて有用である。
【図面の簡単な説明】
【００２８】
【図１】本発明の第１の実施形態を示すブロック図である。
【図２】本発明の第２の実施形態を示すブロック図である。
【図３】（ａ）は再生ＰＷＭ信号を積分して再生アナログ信号を生成する際の波形図、（ｂ）は音の強弱に応じたパルス幅を示す再生ＰＷＭ信号の説明図、（ｃ）は＋３波形を生成する場合のＡ信号、Ｂ信号および加算例である。
【図４】従来例を示すブロック図である。
【符号の説明】
【００２９】
１    Ａｕｄｉｏ／ＭＩＤＩデジタル音源
２    帯域制限用デジタルフィルタ
４    ローパスフィルタ
６    ＬＥＤ
７    ＮｃｈＭＯＳドライバ
８    ＰＷＭジェネレータ
９    加算回路
１０    論理回路ブロック
【図１】
2008099315.tif 000003
【図２】
2008099315.tif 000004
【図３】
2008099315.tif 000005
【図４】
2008099315.tif 000006